(57)【特許請求の範囲】
【請求項１】
撮影可能位置と収納位置との間を移動可能であり、撮影可能位置まで繰出されたカメラ外装部から露出する外周に塗装が施された鏡枠塗装部と、該撮影可能位置でのカメラ外装部に内在する外周にある、上記鏡枠塗装部の反射率より低い反射率の未塗装部と、を有する鏡枠と、
上記鏡枠を駆動するズーム駆動手段と、
上記鏡枠のワイド位置信号を出力するため上記未塗装部に設けられ上記未塗装部の反射率より高い反射率の第１の位置出力手段と、
上記鏡枠のテレ位置信号を出力するため上記未塗装部における上記第１の位置出力手段と離間した位置に設けられた、上記未塗装部の反射率より高い反射率の第２の位置出力手段と、
上記第１、第２の位置出力手段の出力を非接触式で検出する位置信号検出手段と、
を具備し、
上記鏡枠を上記収納位置から上記撮影可能位置まで駆動するときには、上記鏡枠塗装部と上記未塗装部との境界と上記第１の位置出力手段との間の上記未塗装部を上記位置信号検出手段が検出し、上記撮影可能位置では上記第１の位置出力手段と上記第２の位置出力手段とを位置信号検出手段により検出することを特徴とするズーム駆動装置。
【請求項２】
上記第１、第２の位置出力手段は、上記鏡枠の円周方向に並べて設けられていることを特徴とする請求項１に記載のズーム駆動装置。
【発明の詳細な説明】
【０００１】
【発明の属する技術分野】
本発明は、非接触状態で鏡枠の絶対位置検出を行なうズーム駆動装置に関する。
【０００２】
【従来の技術】
従来、例えば特許第２８９４６５９号公報（特開平５−１８１０５０号公報）には、撮影光学系の焦点距離の変化量を検出するためのパルス発生手段と、パルス発生手段が発生するパルスを計数するカウンタと、撮影光学系のワイド端位置及びテレ端位置を検出する位置検出手段とを有し、位置検出手段の出力に応動してカウンタのカウンタ値を所定の値に変更する技術が開示されている。
【０００３】
又、最近、カメラ市場には、金属外装のカメラ、メタリック系や様々な色の塗装を施したカメラなど、高級感のあるカメラが供給されている。その中で、鏡枠に、カメラ本体と同一色の反射率の高い塗装を施し、鏡枠とカメラ本体とを見かけ上一体化させるようなカメラも販売されている。
【０００４】
【発明が解決しようとする課題】
ところで、鏡枠にメタリック等、反射率の高い塗装を施したカメラでは、鏡枠の絶対位置検出をメカニカルスイッチを用いて行なうようにしたものがある。
【０００５】
しかし、メカニカルスイッチを用いた場合、部品点数が増加し、コスト高となってしまう問題がある。又、メカニカルスイッチは衝撃によって信号が誤出力され易く、更にライフ性の問題等があり、それらの対策を講じる必要性から構造がより複雑化してしまう問題がある。
【０００６】
これに対処するに、鏡枠の絶対位置検出を低コストで信頼性のある非接触式エンコーダを用いて行なうようにすることも種々提案されているが、鏡枠に施された塗装面に沿って位置検出を非接触式に行なう場合、ユーザーが長年使用するうちに塗装面にキズ等が発生してしまうと、正しい制御を行なうことが出来なくなる不都合がある。
【０００７】
又、鏡枠の全てに塗装を施す場合は、塗装の反射率の管理など製造時の品質管理が煩雑化する問題がある。
【０００８】
本発明は、上記事情に鑑みてなされたもので、低コストで、しかも鏡枠に塗装を施した場合であっても信頼性の高い制御を行なうことの可能なズーム駆動装置を提供することを目的とする。
【０００９】
【課題を解決するための手段】
上記目的を達成するため本発明によるズーム駆動装置は、撮影可能位置と収納位置との間を移動可能であり、撮影可能位置まで繰出されたカメラ外装部から露出する外周に塗装が施された鏡枠塗装部と、該撮影可能位置でのカメラ外装部に内在する外周にある、上記鏡枠塗装部の反射率より低い反射率の未塗装部と、を有する鏡枠と、上記鏡枠を駆動するズーム駆動手段と、上記鏡枠のワイド位置信号を出力するため上記未塗装部に設けられ上記未塗装部の反射率より高い反射率の第１の位置出力手段と、上記鏡枠のテレ位置信号を出力するため上記未塗装部における上記第１の位置出力手段と離間した位置に設けられた、上記未塗装部の反射率より高い反射率の第２の位置出力手段と、上記第１、第２の位置出力手段の出力を非接触式で検出する位置信号検出手段と、を具備し、上記鏡枠を上記収納位置から上記撮影可能位置まで駆動するときには、上記鏡枠塗装部と上記未塗装部との境界と上記第１の位置出力手段との間の上記未塗装部を上記位置信号検出手段が検出し、上記撮影可能位置では上記第１の位置出力手段と上記第２の位置出力手段とを位置信号検出手段により検出することを特徴とする。
【００１２】
【発明の実施の形態】
以下、本発明の実施の形態を図に基づいて説明する。ここで、図１〜図４はギヤ連結装置を内蔵するカメラの駆動装置の構成、及び、駆動状態を示す拡大斜視図、図５〜図８はカメラの駆動装置の動作状態を示す平面図、図９は鏡枠が収納位置にあるときのカメラのギヤ連結装置の構成を示す斜視図、図１０は撮影可能位置にあるときのカメラのギヤ連結装置の構成を示す斜視図、図１１は鏡枠の説明図、図１２はカメラに設けたリセットフォトリフレクタの出力を示す説明図である。
【００１３】
先ず、図１〜図１０を参照して、本実施の形態のカメラにおけるレンズ鏡筒の進退駆動、フィルムの巻き上げ，巻き戻し駆動を行う駆動装置、及び、ギヤ連結装置の構成を説明する。尚、本カメラにおいては、図１〜図４に示す駆動装置の下側に、図９、図１０に示す鏡枠、及び、ギヤ連結装置等、本体側の構成部品が配設されているものとする。
【００１４】
駆動源である単一の巻き上げ／ズーム(Ｗ／Ｚ)モータ２０は、その出力軸にピニオンギヤ２１を有する正逆回転可能なモータである。上記ピニオンギヤ２１は、減速ギヤ列（図示せず）を介して第１太陽ギヤ３０と噛合しており、上記Ｗ／Ｚモータ２０の回転力を第１太陽ギヤ３０に伝達する。
【００１５】
上記第１太陽ギヤ３０の上面には連結腕である第１ギヤアーム３２が配設されており、第１太陽ギヤ３０と同軸で回転可能となっている。この第１ギヤアーム３２には支軸ピン３２ａが垂設されていて、この支軸ピン３２ａには第１遊星ギヤ３１が上記第１太陽ギヤ３０に噛合した状態で軸着されている。
【００１６】
又、上記第１遊星ギヤ３１と上記第１ギヤアーム３２との間に所定のフリクションが与えられている。そのため、上記第１太陽ギヤ３０が回動すると、このフリクションにより、上記第１ギヤアーム３２に第１太陽ギヤ３０が回転する方向の回動力が生じる。
【００１７】
上記第１ギヤアーム３２には、この第１ギヤアーム３２の回動を止めるための凸部３２ｂ，３２ｃ及び後述するクラッチフォトインタラプタ（クラッチＰＩ）３４を遮光する遮光部３２ｄが設けられている。
【００１８】
上記第１遊星ギヤ３１の公転軌跡上には支軸３６ａに軸着された従動ギヤであるギヤ３６と、支軸６０ａに軸着された従動ギヤでもある第３太陽ギヤ６０が配設されている。又、上記支軸３６ａには、ストッパ部材である第１ストッパ３５が上記ギヤ３６と同軸で回動可能に軸支されている。
【００１９】
上記第１ストッパ３５には、図５（Ｂ）に示すように上記第１ギヤアーム３２の反時計回り（ＣＣＷ）方向の回転と、図６（Ｂ）に示すようにこの第１ギヤアーム３２の時計回り（ＣＷ）方向の回転とに係止して阻止する係止部３５ａが設けられている。又、上記第１ギヤアーム３２の周りには、位置決め部材３３ａ，３３ｂが配設されており、各々図５（Ａ）に示すようにこの第１ギヤアーム３２のＣＷ方向の回動と、図６（Ａ）に示すようにＣＣＷ方向の回動を規制する。
【００２０】
又、上記ギヤ３６は支軸３７ａに軸着されたギヤ３７に噛合され、更に、このギヤ３７が支軸３８ａに軸着された第２太陽ギヤ３８に噛合されている。
【００２１】
上記第２太陽ギヤ３８の下側には連結腕である第２ギヤアーム４５があり、この第２太陽ギヤ３８と同軸で回動可能となっている。この第２ギヤアーム４５には支軸ピン４５ａが垂設されており、この支軸ピン４５ａに第２遊星ギヤ４７が上記第２太陽ギヤ３８に噛合した状態で軸着されている。
【００２２】
又、上記第２遊星ギヤ４７と上記第２ギヤアーム４５との間に所定のフリクションが与えられている。そのため上記第２太陽ギヤ３８が回動すると、このフリクションにより、上記第２ギヤアーム４５に第２太陽ギヤ３８が回動する方向の回動力が生じる。
【００２３】
上記第２遊星ギヤ４７の公転軌跡上には、支軸４８ａに軸着された第１の駆動手段であるセットギヤ４８と、支軸４９ａに軸着されたギヤ４９とが配設されている。
【００２４】
上記ギヤ４９は減速ギヤである段ギヤ５０，５０′を介して巻き戻し駆動機構としてのリワインドギヤ５１に回動力を伝達する。このリワインドギヤ５１には、パトローネ内のスプール軸に係合してフィルムを巻き戻すツメが突設されており（図示せず）、このリワインドギヤ５１がＣＷ方向に回転すると、パトローネ内にフィルムが巻き戻される。
【００２５】
上記セットギヤ４８は、鏡枠８３を収納位置（図９の状態）から撮影可能位置（図１０の状態）へ動かすセット・アップ動作と、撮影可能位置から収納位置へ動かすセット・ダウン動作とを行なうことの可能なギヤである。すなわち、レンズ鏡筒側のセット駆動用セットギヤを終端とするセット駆動系ギヤ列に連結されており、このセットギヤ４８のＣＷ方向の回転により鏡枠がセット・アップ動作、ＣＣＷ方向の回転により鏡枠がセット・ダウン動作するように設定されている。
【００２６】
又、上記第２太陽ギヤ３８と干渉しない下側の位置に支軸４１ａが配置されており、この支軸４１ａには第２ストッパ４１が回動可能に軸支されている。この第２ストッパ４１は、図５（Ａ）に示すように上記第２ギヤアーム４５のＣＷ方向の回動を係止して阻止する係止腕４１ｃを有している。
【００２７】
又、上記第２ギヤアーム４５の周りには位置決め部材４３，４４が配設されており、各々図７（Ｂ）に示すように第２ギヤアーム４５のＣＷ方向の回動と、図５（Ｂ）に示すように第２ギヤアーム４５のＣＣＷ方向の回動とを規制する。
【００２８】
又、上記第２ストッパ４１には、後述するストッパフォトインタラプタ（ストッパＰＩ）４６を遮光する遮光部４１ｂが設けられている。
【００２９】
上記第３太陽ギヤ６０の下側には連結腕である第３ギヤアーム６１が配設されており、この太陽ギヤ６０の支軸６０ａと同軸で回転可能に支持されている。この第３ギヤアーム６１には支軸ピン６０ｂが垂設されており、この支軸ピン６０ｂには一体の段ギヤである第３遊星ギヤ６２とギヤ６２′とが上記第３太陽ギヤ６０に噛合して軸着されている。但し、第３太陽ギヤ６０に噛合しているのは第３遊星ギヤ６２である。
【００３０】
又、上記第３遊星ギヤ６２及びギヤ６２′と上記第３ギヤアーム６１との間に所定のフリクションが与えられている。そのため上記第３太陽ギヤ６０が回動すると、このフリクションにより、上記第３ギヤアーム６１には、この第３太陽ギヤ６０が回転する方向の回動力が生じることになる。
【００３１】
上記第３遊星ギヤ６２の公転軌跡上には支軸６５ａに軸着された第２の駆動手段であるズームギヤ６５と、フィルムを巻上げるスプールを一体に有するワインドギヤ７０とが配設されている。尚、ズームギヤ６５は上記ギヤ３７，３８の下側でこのギヤ３７，３８とは干渉しない位置に配設されている。
【００３２】
本カメラの鏡枠８３は、撮影レンズを内蔵保持し、後述するギヤ連結装置を構成するセットギヤ４８と、それに噛合するギヤ列により、図９のカメラ本体に収納された位置（収納位置）Ｐａと、図１０のカメラ本体から繰り出された撮影可能位置Ｐｂとに移動可能である。
【００３３】
そして、上記撮影可能位置Ｐｂにあるとき、その外周に設けられた鏡枠ギヤ８３ａを介して、後述するズーム駆動手段により鏡枠８３を光軸Ｏ回りに回動せしめることによって、撮影レンズの焦点距離を切り換えることができる。上記ズーム駆動手段は、ズームギヤ６５と、それらに噛合するギヤ列、及び、ギヤ連結装置とで構成される。
【００３４】
上記ギヤ連結装置について説明すると、上記図９，図１０の鏡枠とギヤ連結装置の斜視図に示すように、図１等に示されるズームギヤ６５を支持する支軸６５ａには、一体で回転する第１ズーム傘歯ギヤ８０が配設されている。この第１ズーム傘歯ギヤ８０と噛合する位置に第２ズーム傘歯ギヤ８１が配設され、この第２ズーム傘歯ギヤ８１は、カメラの鏡枠８３の光軸Ｏ方向に沿うように９０°変更された駆動軸８２に固着されている。
【００３５】
そして、上記駆動軸８２には一体的に回転する最終段の駆動ギヤとしてのズームロングギヤ８２ａが設けられている。このズームロングギヤ８２ａは、鏡枠８３が撮影可能位置Ｐｂに移動してきたとき、鏡枠８３の鏡枠ギヤ８３ａと噛合する。但し、鏡枠８３が収納位置Ｐａに後退したときは、鏡枠ギヤ８３ａと噛合状態は解除される。
【００３６】
又、ズームロングギヤ８２ａの歯部の噛合側先端には傾斜面８２ｂが設けられており、鏡枠ギヤ８３ａの歯部の噛合側先端にも傾斜面８３ｂが設けられている。尚、この両傾斜面８２ｂ，８３ｂは楔面であっても良い。
【００３７】
撮影可能位置Ｐｂにある鏡枠８３のワイド位置、又は、各ズーム位置への駆動を行う場合、ズームギヤ６５の回転を上記ズームギヤ列に伝達し、ズームロングギヤ８２ａを介して鏡枠８３を回動させる。ズームギヤ６５の図６（Ｂ）のＣＷ方向（図１０上ではＣＣＷ方向）への回転により、鏡枠８３がズーム・ダウン方向に回動する。又、ズームギヤ６５が図６（Ａ）上のＣＣＷ方向（図１０上ではＣＷ方向）へ回転されると、鏡枠８３がズーム・アップ方向に回動する。
【００３８】
又、鏡枠８３には、後述する非接触型ズームエンコーダを構成する位置信号検出手段としてのリセットフォトリフレクタ（リセットＰＲ）８４によって、撮影可能位置Ｐｂのワイド(広角)準備位置及びテレ(望遠)位置を検出する位置に、第１の位置出力手段としてのワイド位置検出用銀シール８３ｃと第２の位置出力手段としてのテレ位置検出用銀シール８３ｄとが各々貼付されている。
【００３９】
更に、段ギヤである第３遊星ギヤ６２とギヤ６２′のうち、その大ギヤ側である第３遊星ギヤ６２がズームギヤ６５と噛合可能であって、小ギヤ側であるギヤ６２′がワインドギヤ７０と噛合可能になっている。
【００４０】
上記第２太陽ギヤ３８の下側にて、この第２太陽ギヤ３８と干渉しない位置に支軸７２ａが設けられていおり、この支軸７２ａに第３ストッパ７２が回動可能に支持されている。この第３ストッパ７２には図６（Ａ）に示すように、上記第３ギヤアーム６１のＣＣＷ方向への回転を係止する係止腕７２ｂが配設されている。
【００４１】
又、上記第３ギヤアーム６１の周りには位置決め部材６３，６４が配設されており、図６（Ｂ）に示すように第３ギヤアーム６１のＣＷ方向への回動と、図７（Ａ）に示すように第３ギヤアーム６１のＣＣＷ方向への回動とを規制する。
【００４２】
上記第１ストッパ３５は上記支軸３６ａを中心に回動可能であり、後述する電磁石４０の可動鉄心４０ａに係合する凸ピン３５ｂが垂設されている。又、この第１ストッパ３５の近傍にプランジャ型電磁石４０が配置されている。
【００４３】
この電磁石４０には、通電すると図５（Ａ）での左方向へ吸引される可動鉄心４０ａと、この可動鉄心４０ａを同図の右方向へ付勢する圧縮バネ４０ｂとが設けられている。可動鉄心４０ａは、電磁石４０が通電していないとき、図５（Ａ）の右方向へ上記圧縮バネ４０ｂの付勢力により移動されており、図示しいな位置決めピンにより、図５（Ａ）に示す位置に当て付いて位置が規制されている。尚、この圧縮バネ４０ｂの付勢力は、可動鉄心４０ａに発生する吸引力よりも弱く設定されており、電磁石４０に通電すると、可動鉄心４０ａが圧縮ばね４０ｂの付勢力に抗して、図５（Ａ）での左方向へ吸引される（図８（Ａ）参照）。
【００４４】
上記電磁石４０の可動鉄心４０ａの先端に切欠部が形成されており、この切欠き部に上記第１ストッパ３５の凸ピン３５ｂが嵌入している。電磁石４０の可動鉄心４０ａが、図５(Ａ)の左方向へ吸引されると、凸ピン３５を介して第１ストッパ３５が、同図のＣＣＷ方向へ回動する。そして、電磁石４０に対する通電が遮断されると、第１ストッパ３５は、圧縮バネ４０ｂの付勢力で移動する可動鉄心４０ａに追従して、同図のＣＷ方向へ回動する。又、上記第１ストッパ３５の係止部３５ａの反対端に、腕部３５ｃが設けられている。尚、この腕部３５ｃは、上記ギヤ３７の下側に配設されて、ギヤ３７との干渉が回避されている。
【００４５】
上記第２ストッパ４１は、上記支軸４１ａを中心に回動可能となっており、ギヤ部４１ｆが設けられており、右端部に腕部４１ｅが設けられ、更に、係止腕４１ｃの先端に凸部４１ｄが設けられている。
【００４６】
又、上記第２ストッパ４１の近傍に、本体（図示せず）からピン４２ａが垂設されており、このピン４２ａにトーションバネ４２が挿入されている。このトーションバネ４２の一端が上記位置決め部材４３に掛止され、他端が上記第２ストッパ４１の一端に掛止されて、このストッパ４１をＣＣＷ方向へ付勢している。尚、第２ストッパ４１は、上記ギヤ３７，３８の下側に配設されており、各ギヤ３７，３８との干渉が回避されている。
【００４７】
上記第３ストッパ７２は、上記支軸７２ａを中心に回動可能となっており、中央部分にギヤ部７２ｃが設けられ、又、右端部に係止腕７２ｂが配設され、更に、左端部に腕部７２ｄが配設されている。
【００４８】
上部第３ストッパ７２の近傍に、本体（図示せず）から位置決めピン７３が垂設されており、この第３ストッパ７２のＣＷ方向の回動が規制している。又、第３ストッパ７２は、上記ギヤ３７，３８の下側に配設されて、各ギヤ３７，３８との干渉が回避されている。
【００４９】
上記第２ストッパ４１のギヤ部４１ｆと第３ストッパ７２のギヤ部７２ｃとは互いに噛合されており、この第２ストッパ４１がＣＷ方向へ回動すると、第３ストッパ７２がＣＣＷ方向へ回動する。この第２ストッパ４１は上記トーションバネ４２によりＣＣＷ方向へ付勢されているが、上記第３ストッパ７２が上記位置決めピン７３に当て付いているため、図５（Ａ）に示す位置に保持される。
【００５０】
又、上記第２ストッパ４１の腕部４１ｅと上記第１ストッパ３５の腕部３５ｃとは、回動方向で若干の隙間があり、高さ方向は、同位置に配置されている。
【００５１】
上記電磁石４０が通電され、可動鉄心４０ａが図の左方向へ吸引されると、上記第１ストッパ３５はＣＣＷ方向へ回転する。その際、この第１ストッパ３５の係止部３５ａは、上記第１ギヤアーム３２の回動軌跡外、すなわち、第１ギヤアーム３２が回動しても凸部３２ｂが当接しない位置まで回動する。
【００５２】
又、この第１ストッパ３５の腕部３５ｃは、第１ストッパ３５がＣＣＷ方向へ回動する際、上記第２ストッパ４１の腕部４１ｅを、上記トーションバネ４２の付勢力に抗して押圧しながら回転するため、この第２ストッパ４１はＣＷ方向へ回転し、これにより上記第３ストッパ７２をＣＣＷ方向へ回動させる。
【００５３】
このとき、第２ストッパ４１の係止腕４１ｃは、上記第２ギヤアーム４５の回転を係止する凸部４５ｂの回動軌跡外の位置、すなわち、第２ギヤアーム４５の凸部４５ｂが回動しても当接しない位置まで回動する。又、第３ストッパ７２の係止腕７２ｂは、上記第３ギヤアーム６１の回動を係止するための凸部６１ｂの回動軌跡外まで回動する（図８（Ａ）参照）。
【００５４】
又、この電磁石４０に対する通電が遮断されると、上記可動鉄心４０ａは上記圧縮バネ４０ｂの付勢力で押し戻され、これによりこの可動鉄心４０ａが位置決めピンに当て付く位置まで突出し、第１ストッパ３５をＣＷ方向へ回動させる。
【００５５】
その動作に伴い、上記第２ストッパ４１と第３ストッパ７２とは、トーションバネ４２の付勢力により各々ＣＣＷ方向とＣＷ方向へ、この第３ストッパ７２の腕部７２ｄが位置決めピン７３に当て付くまで回動する（図５（Ａ）参照）。尚、第３ストッパ７２の係止腕７２ｂは、第２ストッパ４１の腕部４１ｅより上側にあり、スラスト方向で若干の隙間を有している。
【００５６】
上記駆動装置において、リワインドギヤ５１がＣＷ方向へ回転した場合は、パトローネ内にフィルムを巻き戻す動作が行われる。又、ワインドギヤ７０がＣＷ方向へ回転するとフィルムの巻き上げが行われる。又、セットギヤ４８がＣＷ方向へ回転した場合は、鏡枠８３を図９の収納位置Ｐａから図１０の撮影可能位置Ｐｂに繰り出すセット・アップ動作が行われる。そのとき、鏡枠８３の鏡枠ギヤ８３ａとズームロングギヤ８２ａは噛合状態になる。
【００５７】
セットギヤ４８がＣＣＷ方向へ回転した場合は、鏡枠８３を図９の収納位置Ｐａに繰り込むセット・ダウン動作が行われる。この状態では、鏡枠８３の鏡枠ギヤ８３ａとズームロングギヤ８２ａとの噛合が解除される。
【００５８】
図１０に示す撮影可能状態で、前述したようにズームギヤ６５がＣＷ方向（図６（Ｂ）上）へ回転すると、鏡枠８３のズーム・ダウン動作が行われる。一方、ズームギヤ６５がＣＣＷ方向（図６（Ａ）上）へ回転すると、鏡枠８３のズーム・アップ動作が行われる。
【００５９】
セット・アップ動作が実行されると、鏡枠８３が、図９に示す収納位置Ｐａから、図１０に示す撮影可能位置Ｐｂへ移動し、鏡枠８３に貼付されているワイド位置検出用銀シール８３ｃの位置も移動し、セット・アップ動作が完了するとワイド位置検出用銀シール８３ｃは、リセットＰＲ８４の真下に位置し、リセットＰＲ８４の出力信号はＯＦＦからＯＮに変化する。
【００６０】
又、セット・ダウン動作が実行されると、鏡枠８３が、図１０に示す撮影可能位置Ｐｂから、図９に示す収納位置Ｐａに移動し、鏡枠８３の鏡枠ギヤ８３ａとズームロングギヤ８２ａとの噛合が外れ、ワイド位置検出用銀シール８３ｃも移動し、リセットＰＲ８４の出力信号がＯＮからＯＦＦに変化する。
【００６１】
上述したようにセット・アップ動作、或いは、セット・ダウン動作は、第１の駆動手段を構成するギヤ３６，ギヤ３７，第２太陽ギヤ３８，第２遊星ギヤ４７，第２ギヤアーム４５，セットギヤ４８のギヤ駆動系によりその駆動力を伝達して行われる。
【００６２】
又、ズーム・ダウン動作、或いはズーム・アップ動作は、第２の動作手段を構成する第３太陽ギヤ６０，第３遊星ギヤ６２，第３ギヤアーム６１，ズームギヤ６５のギヤ駆動系によりその駆動力を伝達して行われる。
【００６３】
ところで、図９、図１０に示すように、鏡枠８３の外周は反射率の高い色の塗装が施された鏡枠塗装部８３ｅと塗装が施されておらず反射率の低い未塗装部８３ｆとを有している。鏡枠塗装部８３ｅは鏡枠８３が撮影可能位置Ｐｂまで繰り出されたとき、カメラ外装部８５(図１１(A)参照)から露出する部位で、先端から距離Ａの範囲で塗装が施されている。又、未塗装部８３ｆはカメラ外装部８５に内在する部位である。
【００６４】
更に、ワイド位置検出用銀シール８３ｃとテレ位置検出用銀シール８３ｄとは未塗装部８３ｆに貼付されており、図１１（Ａ）、図１２に示すように、鏡枠塗装部８３ｅと未塗装部８３ｆとの境界からワイド位置検出用銀シール８３ｃの端縁までは幅Ｂを有し、又、テレ位置検出用銀シール８３ｄはワイド位置検出用銀シール８３ｃに対し、幅Ｄを開けて配設されている。これらの幅Ｂ，Ｄは、リセットＰＲ８４にて検知される領域であり、以後、信号幅Ｂ，Ｄと称する。
【００６５】
鏡枠８３を収納位置Ｐａから撮影可能位置Ｐｂのテレ位置まで移動させると、リセットＰＲ８４の出力信号は、図１２に示すような出力特性を示す。
【００６６】
信号幅Ａは、鏡枠塗装部８３ｅであり、より正確には、鏡枠８３を収納した状態におけるリセットＰＲ８４の検知位置から鏡枠塗装部８３ｅの終了端までの距離であり、鏡枠塗装部８３ｅに反射率の高い色の塗装が施されているため、リセットＰＲ８４の出力信号はＯＮ（Ｌ）となる。
【００６７】
信号幅Ｂは、未塗装部８３ｆであり、反射率が低いため、リセットＰＲ８３の出力信号はＯＦＦ（Ｈ）となる。
【００６８】
信号幅Ｃは、ワイド位置検出用銀シール８３ｃが貼付されている領域であり、反射率が高いため、リセットＰＲ８４の出力信号はＯＮ（Ｌ）となる。
【００６９】
信号幅Ｄは、ワイド位置検出用銀シール８３ｃとテレ位置検出用銀シール８３ｄとの間の未塗装部８３ｆであり、反射率が低いため、リセットＰＲ８４の出力信号はＯＦＦ（Ｈ）となる。
【００７０】
信号幅Ｅは、テレ位置検出用銀シール８３ｄが貼付されている領域であるため、反射率が高く、リセットＰＲ８４の出力信号はＯＮ（Ｌ）となる。
【００７１】
図１１（Ｂ）に、鏡枠８３の鏡枠塗装部８３ｅに対して塗装を施す方法の一例を示す。塗装に際しては、先ず、未塗装部８３fの幅に相当する高さを有すると共に、鏡枠８３の外周に対してややタイトに装着可能な内径を有するハット型のカバー１２１を、図の一点鎖線で示すように、鏡枠８３の先端側から装着し、その下端面を鏡枠ギヤ８３ａに掛止し、未塗装部８３ｆをマスキングする。次いで、カバー１２１から露呈されている鏡枠塗装部８３e(ハッチングで示す部位)に対し、スプレー等を用いて塗装を施す。
【００７２】
塗装に際し、カバー１２１を用いて未塗装部８３ｆをマスキングすることで鏡枠８３の鏡枠塗装部８３ｅに対して簡単に塗装を施すことができる。
【００７３】
又、図１３に本発明が適用されるズームカメラのブロック図を示す。ＣＰＵ１０１はズームカメラ全体の動作を制御するマイクロコンピュータであり、ズームカメラのシーケンス制御、オートフォーカス／オートイクスポージャー（以下「ＡＦ／ＡＥ」と略す）演算、ＡＤ変換、ＬＣＤ、ＬＥＤ制御、及びスイッチ制御を行なう機能を有する。
【００７４】
ＬＣＤパネル１０２はフィルムの駒数、カメラのモード、時間、バッテリチェックの結果等をそれぞれ表示する液晶表示板である。
【００７５】
スイッチ操作部１０３は、レリーズ釦を半押ししたときに作動し、オートフォーカス(ＡＥ)、オートイクスポージャー（ＡＥ）をロックする１段目スイッチ１Ｒと、レリーズ釦を全押ししたときに作動するシャッタレリーズ用２段目スイッチ２Ｒと、ズーム・アップ用スイッチＺＵＰと、ズーム・ダウン用スイッチＺＤＮと、カメラのストロボの発光状態を変更するためのフラッシュスイッチと、リモコン及びセルフタイマ機能を使用できるようにするセルフスイッチと、デートの表示を切り換えるためのモードスイッチ、デートの時間修正を行うためのセットスイッチと、カメラの電源のＯＮ／ＯＦＦを切り換えるパワースイッチと、撮影中の巻き戻しを行う強制巻き戻し用スイッチ（ＲＷＳＷ）と、裏蓋を閉めたことを検知して空送りを行う裏蓋開閉スイッチ（ＢＫＳＷ）等のスイッチ類で構成されている。
【００７６】
ＡＦ測距用ＩＣ１０４は、ＣＰＵ１０１からの制御信号に基づき被写体までの距離を求め、そのデータをシリアルデータバスを通じてＣＰＵ１０１へ転送する。
【００７７】
ＥＥＰＲＯＭ１０５は、電気的に消去可能なＲＯＭであり、フィルムの駒数、ズームＰＲが変化したときの位置パルス、ストロボの充電電圧情報、バッテリチェック情報等の各種調整値が記憶されている。
【００７８】
ストロボユニット１０６は、上記ＣＰＵ１０１から充電信号が与えられると充電を開始し、充電電圧がＣＰＵ１０１へ逐次送られる。ＣＰＵ１０１では、充電電圧をＡＤ変換した後、ＥＥＰＲＯＭ１０５に記憶されている充電電圧情報と比較し、充電完了か否かをチェックする。
【００７９】
ＬＥＤ表示部１０７は、ストロボ発光警告、ＡＦロック等を撮影者に知らせる表示部である。インターフェース用ＩＣ１０９は、ＬＥＤドライブ回路、測光素子（ＳＰＤ）１０８からの出力信号に基づいて測光を行う回路、モータドライブ回路、基準電圧回路等で構成されている。
【００８０】
モータ駆動用ＩＣ１１０には、上記ＣＰＵ１０１から出力されるモータ駆動信号が、上記インターフェース用ＩＣ１０９内で１度デコードされた後、入力される。このモータ駆動用ＩＣ１１０は、ＣＰＵ１０１からの出力信号により、Ｗ／Ｚモータ２０、レンズ駆動（ＬＤ)モータ１１１、セクタを開閉させるシャッタプランジャ１１２、Ｗ／Ｚモータ２０の駆動を巻き上げとズームを切り換える切り換えプランジャ４０の何れかのアクチュエータが選択的に駆動される。
【００８１】
上記ＬＤモータ１１１の近傍には、このＬＤモータ１１１の回動に連動して出力信号を生成するフォトインタラプタ１１４が設けられている。このフォトインタラプタ１１４からの出力信号は上記インターフェース用ＩＣ１０９を通して上記ＣＰＵ１０１に入力され、ＣＰＵ１０１では、この入力信号に基づいてＬＤモータ１１１の制御を行う。
【００８２】
シャッタ用フォトインタラプタ（ＡＥＰＩ）１１５はシャッタプランジャ１１２への通電によってセクタ開閉に同期した信号を出力する。
【００８３】
クラッチＰＩ３４は前述の第１ギヤアーム３２がセット・アップ／ダウン、又はフィルム巻き戻し可能な位置にある場合は、透光状態になりＯＮ信号を出力し、ズーム・アップ／ダウン、又はフィルム巻き上げ可能な位置にある場合は遮光され、ＯＦＦ信号を出力する。
【００８４】
ストッパＰＩ４６は、前述したモータの駆動力が第１〜３のストッパ３５，４１，７２の全てが落ちているとき、透光状態となりＯＮ信号を出力し、又第１〜３のストッパ３５，４１，７２の何れかが上がっているとき遮光状態となりＯＦＦ信号を出力する。
【００８５】
Ｗ／Ｚモータ２０の近傍には、このＷ／Ｚモータ２０の回動に連動して出力信号を発生する、パルス発生手段としてのモータフォトインタラプタ（モータＰＩ）１１３が設けられており、この駆動力が給送側に伝達されている場合は、モータＰＩ１１３とフィルムの移動量に応じて信号を出力するフィルム移動量検出用フォトリフレクタ(ＷＰＲ１)１６によってＷ／Ｚモータ２０を制御する。Ｗ／Ｚモータ２０は正転方向へ回動させるとセット・アップ動作或いはズーム・アップ動作を行い、逆転方向へ回動させるとセット・ダウン動作或いはズーム・ダウン動作を行う。
【００８６】
Ｗ／Ｚモータ２０の駆動力がズーム側に伝達されている場合は、上述したように、モータＰＩ１１３及びリセットＰＲ８４の出力信号に基づいてＣＰＵ１０１により、Ｗ／Ｚモータ２０の駆動力が制御される。又、フィルムのＤＸコード１２０は、露出値を決めるための演算値として、ＣＰＵ１０１に直接読み込まれる。
【００８７】
図１４〜図１６に、ＣＰＵ１０１で処理されるズームカメラに電源を投入したときのパワーＯＮリセットのサブルーチンを示す。カメラに電池を投入すると、ＣＰＵ１０１にリセットがかかりカメラの動作が開始される。
【００８８】
すると、先ず、ステップＳ１０１で、ＣＰＵ１０１内の各ポート、ＲＡＭの初期設定が行なわれ、続くステップＳ１０２でカメラ内のバッテリ電圧をチェックする。そして、バッテリ電圧が不十分な場合は、ＬＣＤパネル１０２に電池なしの状態を所定時間表示した後、カメラの動作を禁止させる。
【００８９】
一方、バッテリ電圧が十分な場合は、ステップＳ１０３へ進み、ＥＥＰＲＯＭ１０５に格納されているデータを読み出し、ＣＰＵ１０１のＲＡＭに展開し、ステップＳ１０４へ進む。ステップＳ１０４では、カメラのメカ状態を初期化するため、Ｗ／Ｚモータ２０の駆動力をズーム側に切り換え、鏡枠８３を収納位置まで後退させる。尚、ステップＳ１０４で処理されるメカイニシャライズについては、図１７、図１８に示すフローチャートを用いて詳述する。
【００９０】
その後、ステップＳ１０５へ進み、パワースイッチの状態をチェックし、パワースイッチがＯＦＦのときはステップＳ１０９へジャンプする。又、パワースイッチがＯＮのときは、ステップＳ１０６へ進み、ＬＣＤパネル１０２をＯＮさせ、このＬＣＤパネル１０２に駒数やモードの状態等、必要な情報を表示させた後、ステップＳ１０７へ進む。
【００９１】
ステップＳ１０７では、鏡枠８３を収納位置から撮影可能なワイド位置へ移動させる処理を実行する。尚、このステップＳ１０７で処理される駆動制御については、図１９〜図２１に示すフローチャートを用いて詳述する。
【００９２】
次いで、ステップＳ１０８へ進み、ストロボの充電状態を調べ、充電が完了していないときはストロボを充電させる。
【００９３】
その後、ステップＳ１０５或いはＳ１０８からステップＳ１０９へ進むと、各スイッチの状態を読み込み、ステップＳ１１０以下で、読み込んだ各スイッチの状態に応じてカメラを動作させる。
【００９４】
先ず、ステップＳ１１０では、パワースイッチの状態を調べ、パワースイッチがＯＦＦのときはカメラがキーロック状態であるため、ステップＳ１１７へジャンプする。一方、パワースイッチがＯＮのときは、ステップＳ１１１へ進み、レリーズ釦が押されたか否かをチェックする。そして、１段目スイッチ１Ｒと２段目スイッチ２ＲとがＯＮされているときは、ステップＳ１１２へ分岐して、レリーズ動作を実行し、終了後、ステップＳ１０９へ戻る。
【００９５】
又、レリーズ釦の各スイッチ１Ｒ，２ＲがＯＦＦのときは、ステップＳ１１３へ進み、ズーム・アップ用スイッチＺＵＰ或いはズーム・ダウン用スイッチＺＤＮが押されたか否かをチェックする。各スイッチＺＵＰ，ＺＤＮの何れかが操作されたときは、ステップＳ１１４へ分岐し、マニュアルズーム動作を行い、終了後、ステップＳ１０９へ戻る。
【００９６】
又、両スイッチＺＵＰ，ＺＤＮの何れも操作されていないときは、ステップＳ１１５へ進み、フラッシュスイッチ或いはモードスイッチが押されたか否かをチェックする。そして、両スイッチの何れかが押されたときは、ステップＳ１１６へ分岐し、操作されたスイッチに応じてカメラのモードを切り換え、ステップＳ１０９へ戻る。又、両スイッチの何れも操作されていないときは、ステップＳ１１７へ進む。
【００９７】
ステップＳ１１０或いはＳ１１５からステップＳ１１７へ進むと、リワインドスイッチが押されたか否かをチェックし、リワインドスイッチが押されたときは、ステップＳ１１８へ分岐し、フィルムの巻き戻し動作を行い、終了後、ステップＳ１０９へ戻る。
【００９８】
又、リワインドスイッチが操作されていないときは、ステップＳ１１９へ進み、裏蓋開閉スイッチの動作が変化したか否かをチェックし、裏蓋開閉スイッチの動作に変化があったときは、ステップＳ１２０へ分岐し、裏蓋開か否かを調べ、裏蓋開を検出したときは、ステップＳ１２１へ進み、裏蓋開時の処理を実行し、終了後、ステップＳ１０９へ戻る。一方、裏蓋閉を検出したときは、ステップＳ１２２へ進み、空送り動作を実行し、終了後、ステップＳ１０９へ戻る。
【００９９】
又、ステップＳ１１９で、裏蓋開閉スイッチの動作に変化がないと判断したときは、ステップＳ１２３へ進み、パワースイッチがＯＦＦされたか否かをチェックし、パワースイッチがＯＦＦのときは、ステップＳ１２４へ分岐し、鏡枠８３の収納処理を実行し、終了後、ステップＳ１２６へジャンプする。尚、ステップＳ１２４で実行される鏡枠８３の格納処理は、図１７、図１８に示すフローチャートを用いて詳述する。
【０１００】
一方、パワースイッチがＯＮのときは、ステップＳ１２５へ進み、各スイッチが操作されたときからの経過時間を計時し、所定時間が経過してもカメラの操作が行われないときは、ステップＳ１２６へ進む。又、各スイッチが操作されたときからの経過時間が所定時間内のときは、ステップＳ１０９へ戻り、上述した処理を繰り返す。
【０１０１】
そして、ステップＳ１２６へ進むと、ＬＣＤパネル１０２の表示をＯＦＦし、続くステップＳ１２７でＣＰＵ１０１をストップ状態とし、パワースイッチ、リワインドスイッチ、裏蓋開閉スイッチの割り込みのみを許可する。そして、パワースイッチ、リワインドスイッチ、或いは裏蓋開閉スイッチに変化があったとき、ストップ状態から抜けだし、ステップＳ１０２よりカメラの動作を再開させる。
【０１０２】
又、上述した図１４のステップＳ１０４で実行されるメカイニシャライズ処理、或いは、図１６のステップＳ１２４で実行される鏡枠８３の収納処理は、図１７、図１８に示すサブルーチンに従って行なわれる。
【０１０３】
このサブルーチンでは、先ず、ステップＳ１３０で、鏡枠８３が収納位置にある否かをチェックし、鏡枠８３が収納位置にあるときは、以降の処理を行う必要がないのでルーチンを終了する。一方、鏡枠８３が収納位置に無いときは、ステップＳ１３１へ進み、ギヤ駆動系を、ズーム・アップ/ダウン可能なズームギヤ６５側に切換えた後、ステップＳ１３２へ進む。
【０１０４】
ステップＳ１３２では、ズーム・ダウン動作を実行するため、モータＰＩ１１３及びリセットＰＲ８４の読み込み設定、ズームパルスのカウント値の目標値であるズーム・ダウン目標駆動パルス数の設定、モータ駆動電圧の設定等の初期設定を行い、ステップＳ１３３へ進む。
【０１０５】
ステップＳ１３３では、Ｗ／Ｚモータ２０を逆転方向へ駆動させて、ズーム・ダウン動作を行い、ステップＳ１３４へ進む。
【０１０６】
ステップＳ１３４では、Ｗ／Ｚモータ２０のモータ駆動に応じたパルス数を発生するモータＰＩ１１３のパルス出力を検出して、ズームパルスをカウントダウンし、ステップＳ１３５へ進む。
【０１０７】
ステップＳ１３５では、リセットＰＲ８４の信号状態をチェックし、リセットＰＲ８４の出力信号が変化したとき、現在のズームパルスのカウント値をＥＥＰＲＯＭ１０５に設定されている所定のパルス数に書き換える。
【０１０８】
次いで、ステップＳ１３６へ進み、モータＰＩ１１３のパルス出力から、Ｗ／Ｚモータ２０のロックによる当て付き状態をチェックし、或いはズームパルスのカウント値とズーム・ダウン目標駆動パルス数とを比較して、カウント値がズーム・ダウン目標駆動パルス数まで減算された否かをチェックする。そして、未だ、モータＰＩ１１３のパルス出力が停止しておらず当て付きが検出されていない、或いはズームパルスのカウント値が目標パルス数まで減算されていないときは、ステップＳ１３３へ戻り、上述したステップを繰り返す。
【０１０９】
その後、モータＰＩ１１３のパルス出力の停止により当て付きが検出され、或いはズームパルスのカウント値がズーム・ダウン目標駆動パルス数まで減算されたとき、ステップＳ１３７へ進み、Ｗ／Ｚモータ２０を停止させ、ステップＳ１３８へ進む。
【０１１０】
ステップＳ１３８では、上記ステップＳ１３５で検出したリセットＰＲの出力信号をチェックする。リセットＰＲ８４の出力信号がＯＮ(Ｌ）であれば、リセットＰＲ８４にワイド位置検出用銀シール８３ｃが対峙しており、セット・ダウン動作が可能な位置であると判断し、ステップＳ１４０へ進む。一方、リセットＰＲ８４の出力信号がＯＦＦ(Ｈ)のときは、ズーム・ダウン動作中に鏡枠８３が停止したと判断し、ステップＳ１３９へ分岐し、ダメージとしてカメラ動作をロックさせ、ルーチンを抜ける。
【０１１１】
そして、ステップＳ１４０へ進むと、セット・ダウン動作を行うためギヤ駆動系を、ズームギヤ６５から、セット・アップ/ダウン可能なセットギヤ４８側に切り換え、ステップＳ１４１へ進む。
【０１１２】
ステップＳ１４１では、セット・ダウン動作を行うために、ズームパルスのカウント値の目標値であるセット・ダウン目標駆動パルス数の設定、モータＰＩ１１３及びリセットＰＲ８４の読み込み設定、駆動電圧設定等の初期設定を行い、ステップＳ１４２へ進み、ステップＳ１４１で初期設定した、所定の駆動電圧でＷ／Ｚモータ２０を逆転方向へ駆動させ、セット・ダウン動作を行う。
【０１１３】
次いで、ステップＳ１４３へ進み、モータ駆動に応じて出力されるモータＰＩ１１３のパルス出力をカウントして、ズームパルスのカウント値をカウントダウンする。
【０１１４】
パルス出力をカウントして、ズームパルスのカウント値をカウントダウンする。
その後、ステップＳ１４４へ進み、リセットＰＲ８４の出力信号を検出する。尚、ここでは鏡枠８３の鏡枠塗装部８３ｅにキズ等が存在している場合、誤信号が出力されてしまうため、ズームパルスのリフレッシュは行わない。
【０１１５】
次いで、ステップＳ１４５へ進み、Ｗ／Ｚモータ２０のロックによりモータＰＩ１１３のパルス出力が停止する当て付きを検出したか否か、或いは、ズームパルスがステップＳ１４１で初期設定したセット・ダウン目標駆動パルス数まで減算されたか否かをチェックする。そして、モータＰＩ１１３からのパルス出力が停止されておらず、未だ、当て付きが検出されない、或いは、ズームパルスのカウント値がセット・ダウン目標駆動パルス数まで減算されていないときは、ステップＳ１４２へ戻り、上述したステップを繰り返す。
【０１１６】
そして、Ｗ／Ｚモータ２０のロックにより、モータＰＩ１１３のパルス出力が停止する当て付きが検出され、或いはズームパルスのカウント値がセット・ダウン目標駆動パルス数まで減算されたとき、ステップＳ１４６へ進み、Ｗ／Ｚモータ２０を停止させ、セット・ダウン動作を終了し、ステップＳ１４７へ進む。
【０１１７】
ステップＳ１４７へ進むと、ズームパルスのカウント値からセット・ダウン動作時の実駆動パルス数をチェックする。ズームパルスの残存カウント値が所定値以下の場合、収納可能位置まで鏡枠８３がセット・ダウン動作したと判断し、ステップＳ１４８へ進み、セット・アップフル電圧駆動許可フラグをセット(許可)する。
【０１１８】
一方、セット・ダウン動作で、ズームパルスの残存カウント値が所定値以上のときは、セット・ダウン途中でユーザーが鏡枠８３を手で押さえて止めてしまった等の原因で、鏡枠８３が完全に収納位置までセット・ダウンできなかったと判断し、ステップＳ１４９へ分岐し、セット・アップフル電圧駆動許可フラグをクリア(禁止)する。すなわち、このような状態のまま、次のセット・アップ動作時に、Ｗ／Ｚモータ２０を、第１の駆動電圧であるフル電圧で駆動させてしまうと、鏡枠８３を構造体の端面に高スピードでぶつけてしまい、損傷を与えてしまう可能性があるため、セット・アップフル電圧駆動許可フラグをクリア(禁止)し、次のセット・アップ動作開始時におけるフル電圧での駆動を禁止し、代えて、第２の駆動電圧である低電圧でＷ／Ｚモータ２０を駆動させる。
【０１１９】
次いで、ステップＳ１４８或いはＳ１４９からステップＳ１５０へ進み、鏡枠８３が収納位置にあることを示す収納状態フラグをセットし、続くステップＳ１５１で、ステップＳ１５０で設定した収納状態フラグの値、ステップＳ１４８或いはステップＳ１４９で設定したセット・アップフル電圧駆動許可フラグの値をＥＥＰＲＯＭ１０５に書きこみ、ルーチンを終了する。
【０１２０】
又、上述した図１４のステップＳ１０７で実行される収納位置からワイド端位置までの駆動制御処理は、図１９〜図２１に示すサブルーチンに従って行なわれる。
【０１２１】
このサブルーチンでは、先ず、ステップＳ１６０で、セット・アップ動作を行うためギヤ駆動系を、セット・アップ/ダウン可能なセットギヤ４８側へ切り換える。
【０１２２】
次いで、ステップＳ１６１へ進み、ＥＥＰＲＯＭ１０５に記憶されているセット・アップフル電圧駆動許可フラグの値を読み込み、フル電圧駆動が許可されているか否かをチェックする。そして、フル電圧駆動が許可（フラグ＝セット）されている場合は、ステップＳ１６３へジャンプする。一方、フル電圧駆動が禁止（フラグ＝クリア）されている場合は、ステップＳ１６２へ進む。
【０１２３】
フル電圧駆動が禁止されていると判定されて、ステップＳ１６２へ進むと、この状態では、未だ、鏡枠８３が収納可能位置まで後退しておらず、セット・ダウンが完了していないため、セット・アップ動作を開始する前に、モータＰＩ１１３のパルス出力が停止する当て付きが検出されるまで、モータ駆動電圧をフル電圧よりも低い第２の駆動電圧である低電圧で設定し、セット・ダウン動作を低速で行い、当て付きが検出されたとき、ステップＳ１６３へ進む。尚、このときの鏡枠８３の停止位置は特定できないため、セット・ダウンが完了したか否かは当て付きの検出のみによって判定する。
【０１２４】
ステップＳ１６１或いはステップＳ１６２からステップＳ１６３へ進むと、セット・アップ動作を行うために、ズームパルスのカウント値の目標値としての第１の設定値であるセット・アップ目標駆動パルス数を鏡枠８３の収納位置から鏡枠塗装部８３ｅが終了するまでの信号幅Ａに相当するパルス数で設定し、セット・アップ時の駆動パルス数リミッタを設定し、更に、モータＰＩ１１３、リセットＰＲ８４の読み込み設定、駆動電圧設定等の初期設定を行う。
【０１２５】
続いて、ステップＳ１６４へ進み、ＥＥＰＲＯＭ１０５に記憶されているセット・アップフル電圧駆動許可フラグの値を再度参照する。そして、フル電圧駆動が許可（フラグ＝セット）されている場合は、ステップＳ１６５へ進み、ブル電圧駆動が禁止（フラグ＝クリア）されている場合は、ステップＳ１６６へ分岐する。
【０１２６】
ステップＳ１６５ではモータ駆動電圧をフル電圧に設定する。又、ステップＳ１６６では、モータ駆動電圧を、ステップＳ１６５で設定した電圧よりも低い駆動電圧に設定する。
【０１２７】
次いで、ステップＳ１６７へ進み、ステップＳ１６５或いはＳ１６６で設定した駆動電圧で、Ｗ／Ｚモータ２０を正転方向へ駆動させ、セット・アップ動作を行う。
【０１２８】
その後、ステップＳ１６８へ進み、セット・アップ動作途中で、Ｗ／Ｚモータ２０のロックにより、モータＰＩ１１３のパルス出力が停止する当て付きが検出されたか否かをチェックする。そして、当て付きが検出されたときは、ステップＳ１６９へ分岐し、ダメージとして処理する。
【０１２９】
一方、当て付きが検出されないときは、ステップＳ１７０へ進み、モータＰＩ１１３のパルス出力をカウントして、ズームパルスのカウント値をカウントアップする。そして、ステップＳ１７１で、ズームパルスのカウント値とセット・アップ目標駆動パルス数とを比較し、Ｗ／Ｚモータ２０が鏡枠８３を、鏡枠塗装部８３ｅと未塗装部８３ｆとの境界まで移動させたか否かをチェックする。そして、未だ、ズームパルスのカウント値がセット・アップ目標駆動パルス数に達していないときは、ステップＳ１６７へ戻り、Ｗ／Ｚモータ２０の駆動を継続させる。
【０１３０】
そして、ズームパルスのカウント値がセット・アップ目標駆動パルス数に達したときは、鏡枠８３が信号幅Ａ分だけ駆動し、メカ端近くまで駆動しているため、ステップＳ１７２へ進み、当て付き用駆動電圧を設定し、ステップＳ１７３へ進み、この当て付き用駆動電圧でＷ／Ｚモータ２０を駆動させる。
【０１３１】
次いで、ステップＳ１７４へ進み、リセットＰＲ８４の出力信号を検出し、又、ステップＳ１７５で、モータＰＩ１１３のパルス出力をカウントして、ズームパルスのカウント値をカウントアップする。
【０１３２】
その後、ステップＳ１７６へ進み、モータＰＩ１１３のパルス出力を読み込み、鏡枠８３が撮影可能位置まで駆動されて、Ｗ/Ｚモータ２０のロックにより、モータＰＩ１１３のパルス出力が停止する、当て付きが検出されたか否かをチェックする。そして、モータＰＩ１１３からパルス出力が継続しているときは、ステップＳ１７３へ戻り、Ｗ／Ｚモータ２０の駆動を継続させる。又、モータＰＩ１１３からのパルス出力が停止する当て付きが検出されたときは、ステップＳ１７７へ進み、上記ステップＳ１７４で検出したリセットＰＲ８４の出力信号に基づき、リセットＰＲ８４がワイド位置検出用銀シール８３ｃ上に対設しているか否かをチェックする。
【０１３３】
リセットＰＲ８４の出力信号がＯＦＦ(Ｈ)のときは、ギヤの干渉や異常使用で、鏡枠８３が、実際にはワイド位置検出用銀シール８３ｃの位置まで繰り出されておらず、リセットＰＲ８４上には未塗装部８３ｆが臨まされた状態で停止していると判断し、ステップＳ１７８へ分岐し、ダメージとして処理する。
【０１３４】
一方、リセットＰＲ８４の出力信号がＯＮ（Ｌ）のときは、鏡枠８３がワイド位置検出用銀シール８３ｃの位置まで繰り出されたと判断し、ステップＳ１７９へ進み、Ｗ／Ｚモータ２０の駆動を停止させ、ステップＳ１８０へ進む。
【０１３５】
ステップＳ１８０では、鏡枠８３をズーム・アップさせるため、ギヤ駆動系を、セットギヤ４８からズーム・アップ/ダウン可能なズームギヤ６５側に切換える。
【０１３６】
そして、ステップＳ１８１へ進み、ズーム・アップ動作を行うために、ズームパルスのカウント値を一端クリアし、又、ズームパルスのカウント値の目標値としての第２の設定値であるズーム・アップ目標駆動パルス数を鏡枠８３がワイド端位置までの駆動に要するパルス数で設定し、設計値より求めた所定のワイド位置検出用銀シール８３ｃ上の信号幅Ｃ(図１２参照)に相当するチェックパルス数を設定し、更にズーム・アップのための駆動電圧設定、モータＰＩ１１３及びリセットＰＲ８４の読み込み設定等の初期設定を行なう。
【０１３７】
次いで、ステップＳ１８２へ進み、Ｗ／Ｚモータ２０を正転方向へ駆動させて、ズーム・アップ動作を行い、ステップＳ１８３へ進み、モータＰＩ１１３のパルス出力をカウントして、ズームパルスのカウント値をカウントアップする。
【０１３８】
次いで、ステップＳ１８４へ進み、リセットＰＲ８４の状態をチェックする。そして、リセットＰＲ８４の出力がＯＮ（Ｌ）状態からＯＦＦ(Ｈ)状態に変化したとき、後述するワイド位置検出用銀シール８３ｃの信号幅Ｃを測定するために信号変化時のズームパルスのカウント値を保管し、更に現在のズームパルスのカウント値をＥＥＰＲＯＭ１０５に記憶されている所定の値に補正する。
【０１３９】
次いで、ステップＳ１８５へ進み、ワイド端位置まで駆動する前に、Ｗ／Ｚモータ２０が停止したか否かを、当て付きが検出されたか否かでチェックする。そして、当て付きが検出されたときはＷ／Ｚモータ２０がワイド端位置に到達する前に停止してしまったと判断し、ステップＳ１８６へ分岐し、ダメージとして処理する。
【０１４０】
一方、当て付きが検出されないときは、ステップＳ１８７へ進み、ワイド端位置まで駆動したか否かを、ズーム・アップ動作開始からのズームパルスのカウント値がズーム・アップ目標駆動パルス数に達したか否かでチェックする。そして、ズームパルスのカウント値がズーム・アップ目標駆動パルス数に達していないときは、鏡枠８３がワイド端位置まで駆動していないと判断し、ステップＳ１８２へ戻り、Ｗ／Ｚモータ２０の駆動を継続させる。
【０１４１】
一方、ズームパルスのカウント値がズーム・アップ目標駆動パルス数に達したとき、鏡枠８３がワイド端位置まで駆動したと判断し、ステップＳ１８８へ進み、ステップＳ１８４で保管した信号変化時のズームパルスのカウント値と、ワイド位置検出用銀シール８３ｃ上の信号幅Ｃに相当するチェックパルス数とを比較する。そして、その比較値が所定領域から外れているときは、セット・アップ動作時にＷ／Ｚモータ２０が空転し、鏡枠８３が鏡枠塗装部８３ｅの位置で停止してしまい、この鏡枠塗装部８３ｅに形成されたキズ等により、リセットＰＲ８４の出力信号がチャタリングを起こし、鏡枠８３が実際にはワイド端位置まで繰り出されてないと判断し、ステップＳ１８９へ分岐し、ダメージとして処理する。
【０１４２】
一方、信号変化時のズームパルスのカウント値とチェックパルス数との比較値が所定領域内のときは、リセットＰＲ８４がワイド位置検出用銀シール８３ｃの位置を正しく検出しており、鏡枠８３がワイド端位置まで正確に移動したと判断し、ステップＳ１９０へ進み、Ｗ／Ｚモータ２０の駆動を停止させて、ルーチンを終了する。
【０１４３】
このように本実施の形態によれば、セット・ダウン途中でユーザーが鏡枠８３を手で押さえて止めてしまった等の原因で、鏡枠８３を完全に収納位置までセット・ダウンさせる前に停止したときは、次のセット・アップ動作時に、セット・ダウン動作を行ない鏡枠８３を収納位置へ、一旦、移動させるが、このときの鏡枠８３の停止位置が特定できないため当て付きの検出によってのみセット・ダウンの完了を判断することになるが、このときのＷ/Ｚモータ２０を駆動させる電圧を、通常のフル電圧よりも低い電圧で設定したので、当て付きの際の衝撃荷重を減少することができ、損傷を未然に防止することができる。
【０１４４】
又、セット・アップ動作時、ズームパルスのカウント値が、鏡枠８３の収納位置から鏡枠塗装部８３ｅが終了するまでの信号幅Ａに相当するズーム・アップ目標駆動パルス数に到達するまで、リセットＰＲ８４の出力信号を読込むことなく、鏡枠８３を駆動させるようにしたので、鏡枠８３の鏡枠塗装部８３ｅにキズや塗装のむら、はがれ等が存在していても、ズーム位置を誤認識することなく、鏡枠を撮影可能なワイド位置側へ繰り出させることができる。
【０１４５】
そして、その後のズーム・アップ動作において、ワイド端位置に達するまでの間にリセットＰＲ８４の出力信号を検出し、鏡枠８３がワイド端位置に達したとき、出力信号がＯＮ（Ｌ）からＯＦＦ(Ｈ)に変化したときのパルス数と、ワイド位置検出用銀シール８３ｃの信号幅Ｃに相当するチェックパルス数とを比較し、その比較値に基づいてズームの絶対位置を検出するようにしたので、鏡枠８３を撮影可能な位置まで正確に繰り出させることができ、高い信頼性を得ることが出来る。
【０１４６】
【発明の効果】
以上述べたように本発明によれば、鏡枠の塗装部と第１、第２の位置出力手段との間に反射率の低い部位を設けたことで、鏡枠を収納位置から撮影可能位置まで駆動する際には、鏡枠の反射率の低い部位を検出することで正確に撮影可能位置まで制御を行ない、撮影可能位置では、鏡枠の反射率の低い部位で、第１、第２の位置出力手段を位置信号検出手段により検出することで鏡枠の駆動を制御するようにしたので、低コストで、しかも信頼性の高い制御を行なうことが可能となる。
【図面の簡単な説明】
【図１】ギヤ連結装置を内蔵するカメラの駆動装置の構成及び１つの駆動状態を示す拡大斜視図
【図２】カメラの駆動装置の１つの駆動状態を示す拡大斜視図
【図３】カメラの駆動装置の他の１つの駆動状態を示す拡大斜視図
【図４】カメラの駆動装置の他の１つの駆動状態を示す拡大斜視図
【図５】カメラの駆動装置の動作状態を示す図であって、（Ａ）、（Ｂ）はそれぞれある動作状態の平面図
【図６】カメラの駆動装置の動作状態を示す図であって、（Ａ）、（Ｂ）はそれぞれある動作状態の平面図
【図７】カメラの駆動装置の動作状態を示す図であって、（Ａ）、（Ｂ）はそれぞれある動作状態の平面図
【図８】カメラの駆動装置の動作状態を示す図であって、（Ａ）、（Ｂ）はそれぞれある動作状態の平面図
【図９】鏡枠が収納位置にあるときのカメラのギヤ連結装置の構成を示す斜視図
【図１０】撮影可能位置にあるときのカメラのギヤ連結装置の構成を示す斜視図
【図１１】  (Ａ)撮影可能位置にある鏡枠の説明図、(Ｂ)鏡枠の塗装部に塗装を施す際の説明図
【図１２】カメラに設けたリセットフォトリフレクタの出力を示す説明図
【図１３】ズームカメラのブロック図
【図１４】ズームカメラに電源を投入したときのパワーＯＮリセットのサブルーチンを示すフローチャート(その１)
【図１５】ズームカメラに電源を投入したときのパワーＯＮリセットのサブルーチンを示すフローチャート(その２)
【図１６】ズームカメラに電源を投入したときのパワーＯＮリセットのサブルーチンを示すフローチャート(その３)
【図１７】メカイニシャライズ処理及び鏡枠の収納処理を行なうルーチンを示すフローチャート(その１)
【図１８】メカイニシャライズ処理及び鏡枠の収納処理を行なうルーチンを示すフローチャート(その２)
【図１９】収納位置からワイド端位置までの駆動制御を行なうサブルーチンを示すフローチャート(その１)
【図２０】収納位置からワイド端位置までの駆動制御を行なうサブルーチンを示すフローチャート(その２)
【図２１】収納位置からワイド端位置までの駆動制御を行なうサブルーチンを示すフローチャート(その３)
【符号の説明】
２０ 巻き上げ／ズームモータ
４８  セットギヤ(第１の駆動手段)
６５  ズームギヤ(第２の駆動手段)
８３  鏡枠
８３ｃ  ワイド位置検出用銀シール(第１の位置出力手段)
８３ｄ  テレ位置検出用銀シール(第２の位置出力手段)
８３ｅ  鏡枠塗装部
８３ｆ  未塗装部(反射率の低い部位)
８４  リセットフォトリフレクタ（位置信号検出手段）
Ｐａ  収納位置
Ｐｂ  撮影可能位置
【図１】
0004679761.tif 000002
【図２】
0004679761.tif 000003
【図３】
0004679761.tif 000004
【図４】
0004679761.tif 000005
【図５】
0004679761.tif 000006
【図６】
0004679761.tif 000007
【図７】
0004679761.tif 000008
【図８】
0004679761.tif 000009
【図９】
0004679761.tif 000010
【図１０】
0004679761.tif 000011
【図１１】
0004679761.tif 000012
【図１２】
0004679761.tif 000013
【図１３】
0004679761.tif 000014
【図１４】
0004679761.tif 000015
【図１５】
0004679761.tif 000016
【図１６】
0004679761.tif 000017
【図１７】
0004679761.tif 000018
【図１８】
0004679761.tif 000019
【図１９】
0004679761.tif 000020
【図２０】
0004679761.tif 000021
【図２１】
0004679761.tif 000022